(57)【要約】【課題】  眼装着型デバイスの働きを構成または評価するために利便にアクセスする需要に応えることである。【解決手段】  補助デバイスのユーザインターフェースを介して、調節が可能な眼装着型デバイスへのアクセスを提供するための技術および機構。一実施形態では、ユーザインターフェースは、眼装着型デバイスの使用者に様々な目視行為を行わせるプロンプトを提供し、眼装着型デバイスは、目視行為のそれぞれの時間を示す通信を補助デバイスから受信する。その通信に基づいて、眼装着型デバイスは、眼装着型デバイスのそれぞれの状態と、目視行為のそれぞれの特性との対応関係を示す構成情報を生成する。別の実施形態では、構成情報に基づいて、眼装着型デバイスの動作モードが定義される。【選択図】図３
2018175906.tif 000002
【特許請求の範囲】
【請求項１】
１つまたは複数の処理装置によって実行されると、前記１つまたは複数の処理装置に方法を行わせる命令が記憶された非一時的なコンピュータ可読記憶媒体であって、前記方法は、
使用者の眼の中または上に眼装着型デバイスを配設した状態で第１の目視行為を行うように、補助デバイスのユーザインターフェースで前記使用者を促すことと、
前記第１の目視行為について第１の時間を指示する第１の信号を前記眼装着型デバイスに送ることであって、前記第１の信号に基づいて、前記眼装着型デバイスは、前記第１の目視行為の特性と、前記第１の時間中の前記眼装着型デバイスの第１の状態との対応関係を示す第１の構成情報を生成し、前記眼装着型デバイスの第１の動作モードは、前記第１の構成情報に基づく、送ることと、
前記眼装着型デバイスとともに第２の目視行為を行うように、前記ユーザインターフェースで前記使用者を促すことと、
第２の目視行為について第２の時間を指示する第２の信号を前記眼装着型デバイスに送ることであって、前記第２の信号に基づいて、前記眼装着型デバイスは、前記第２の目視行為の特性と、前記第２の時間中の前記眼装着型デバイスの第２の状態との対応関係を示す第２の構成情報を生成し、前記眼装着型デバイスの第２の動作モードは、前記第２の構成情報に基づく、送ることと
を含む非一時的なコンピュータ可読記憶媒体。
【請求項２】
前記ユーザインターフェースは、前記使用者が前記第１の目視行為を現在行っているか、または行おうとしていることの指示を受け取る、ビデオカメラ、音声スピーカ、触覚センサ、タッチセンサ、慣性センサ、圧力センサ、応力センサ、または温度センサを含む請求項１に記載のコンピュータ可読記憶媒体。
【請求項３】
前記第１の目視行為を行うように前記使用者を促すことは、前記眼装着型デバイスが異なる調節レベルを連続的に提供する間、物に焦点を合わせるように前記使用者を促すことを含み、前記方法は、前記異なる調節レベルのうち好ましい調節レベルを識別するように、前記ユーザインターフェースを介して前記使用者を促すことをさらに含む請求項１に記載のコンピュータ可読記憶媒体。
【請求項４】
１つまたは複数の目視行為を識別する通信を前記眼装着型デバイスとの間でやり取りすることをさらに含み、前記通信と、前記１つまたは複数の目視行為に対応するセンサ情報とに基づいて、前記眼装着型デバイスが、前記１つまたは複数の目視行為を、前記眼装着型デバイスを操作するための明示的なコマンドとして識別する請求項１に記載のコンピュータ可読記憶媒体。
【請求項５】
前記明示的なコマンドは、前記眼装着型デバイスが、デフォルトの調節レベルを提供する動作モードに遷移すべきことを指定する請求項４に記載のコンピュータ可読記憶媒体。
【請求項６】
前記明示的なコマンドは、調節レベルを変える機能を無効にする請求項４に記載のコンピュータ可読記憶媒体。
【請求項７】
前記明示的なコマンドは、前記眼装着型デバイスが調節レベルを徐々に上げるか、または徐々に下げることを指定する請求項４に記載のコンピュータ可読記憶媒体。
【請求項８】
前記眼装着型デバイスの動作モードのインスタンスを記述するログ情報を、前記眼装着型デバイスからダウンロードすることをさらに含む請求項１に記載のコンピュータ可読記憶媒体。
【請求項９】
前記ログ情報に基づいて、前記動作モードの前記インスタンスの特性によって検査条件が満たされるかどうかを評価することと、
前記検査条件が満たされると識別する前記評価に応答して、前記眼装着型デバイスの動作モードの定義を含む構成情報にアクセスすることであって、前記アクセスすることは、前記定義のうち１つの定義のパラメータを自動的に更新することを含む、アクセスすることと
をさらに含む請求項８に記載のコンピュータ可読記憶媒体。
【請求項１０】
使用者の眼の中または上に眼装着型デバイスを配設した状態で第１の目視行為を行うように、補助デバイスのユーザインターフェースで前記使用者を促すことと、
前記第１の目視行為について第１の時間を指示する第１の信号を前記眼装着型デバイスに送ることであって、前記第１の信号に基づいて、前記眼装着型デバイスは、前記第１の目視行為の特性と、前記第１の時間中の前記眼装着型デバイスの第１の状態との対応関係を示す第１の構成情報を生成し、前記眼装着型デバイスの第１の動作モードは、前記第１の構成情報に基づく、送ることと、
前記眼装着型デバイスとともに第２の目視行為を行うように、前記ユーザインターフェースで前記使用者を促すことと、
第２の目視行為について第２の時間を指示する第２の信号を前記眼装着型デバイスに送ることであって、前記第２の信号に基づいて、前記眼装着型デバイスは、前記第２の目視行為の特性と、前記第２の時間中の前記眼装着型デバイスの第２の状態との対応関係を示す第２の構成情報を生成し、前記眼装着型デバイスの第２の動作モードは、前記第２の構成情報に基づく、送ることと
を含む方法。
【請求項１１】
前記第１の目視行為を行うように前記使用者を促すことは、前記眼装着型デバイスが異なる調節レベルを連続的に提供する間、物に焦点を合わせるように前記使用者を促すことを含み、前記方法は、前記異なる調節レベルのうち好ましい調節レベルを識別するように、前記ユーザインターフェースを介して前記使用者を促すことをさらに含む請求項１０に記載の方法。
【請求項１２】
１つまたは複数の目視行為を識別する通信を前記眼装着型デバイスとの間でやり取りすることをさらに含み、前記通信と、前記１つまたは複数の目視行為に対応するセンサ情報とに基づいて、前記眼装着型デバイスが、前記１つまたは複数の目視行為を、前記眼装着型デバイスを操作するための明示的なコマンドとして識別する請求項１０に記載の方法。
【請求項１３】
前記眼装着型デバイスの動作モードのインスタンスを記述するログ情報を、前記眼装着型デバイスからダウンロードすることをさらに含む請求項１０に記載の方法。
【請求項１４】
前記ログ情報に基づいて、前記動作モードの前記インスタンスの特性によって検査条件が満たされるかどうかを評価することと、
前記検査条件が満たされると識別する前記評価に応答して、前記眼装着型デバイスの動作モードの定義を含む構成情報にアクセスすることであって、前記アクセスすることは、前記定義のうち１つの定義のパラメータを自動的に更新することを含む、アクセスすることと
をさらに含む請求項１３に記載の方法。
【請求項１５】
封入材料と、
前記封入材料の中に配設された調節アクチュエータと、
集積回路を含む通信ロジックであって、前記集積回路は、補助デバイスから、
第１の時間における使用者による第１の目視行為を示す第１の信号であって、前記補助デバイスのユーザインターフェースを介して前記補助デバイスによって受け取られる第１の入力に基づく第１の信号、および
第２の時間における前記使用者による第２の目視行為を示す第２の信号であって、前記ユーザインターフェースを介して前記補助デバイスによって受け取られる第２の入力に基づく第２の信号
を受信するように構成される、通信ロジックと、
前記第１の時間に前記眼装着型デバイスの第１の状態を検出し、前記第２の時間に前記眼装着型デバイスの第２の状態を検出するように構成された集積回路を含む制御ロジックであって、前記第１の信号に基づいて、前記制御ロジックが、前記第１の状態と、前記第１の目視行為の特性との対応関係を示す第１の構成情報を生成し、前記眼装着型デバイスの第１の動作モードは前記第１の構成情報に基づき、前記第２の信号に基づいて、前記制御ロジックが、前記第２の状態と、前記第２の目視行為の特性との対応関係を示す第２の構成情報を生成し、前記眼装着型デバイスの第２の動作モードは前記第２の構成情報に基づく、制御ロジックと
を備える眼装着型デバイス。
【請求項１６】
前記制御ロジックがさらに、
前記眼装着型デバイスの動作モードのインスタンスを記述するログ情報にアクセスし、
前記ログ情報に基づいて、前記動作モードの前記インスタンスの特性によって検査条件が満たされるかどうかを評価し、
前記検査条件が満たされると識別したことに応答して、前記眼装着型デバイスの動作モードの定義を含む構成情報にアクセスし、前記アクセスすることは、前記定義のうち１つの定義のパラメータを自動的に更新することを含む
請求項１５に記載の眼装着型デバイス。
【請求項１７】
前記制御ロジックがさらに、
目視行為と、使用者の眼の中または上に配設された眼装着型デバイスを操作するコマンドとの対応関係を示す構成情報を記憶し、
前記構成情報が記憶される間に、前記眼装着型デバイスの状態を検出し、
前記検出された状態と前記構成情報とに基づいて、前記目視行為のインスタンスを検出し、
前記目視行為の前記インスタンスを検出したことに応答して、前記コマンドに対応する動作を行う
請求項１５に記載の眼装着型デバイス。
【請求項１８】
前記制御ロジックが前記動作を行うことは、前記制御ロジックが、デフォルトの調節レベルを提供する動作モードに遷移することを含む請求項１７に記載の眼装着型デバイス。
【請求項１９】
前記制御ロジックが前記動作を行うことは、前記制御ロジックが、調節レベルを変える機能を無効にすることを含む請求項１７に記載の眼装着型デバイス。
【請求項２０】
前記制御ロジックがさらに、
前記眼装着型デバイスの動作モードのインスタンスを記述するログ情報を維持し、
前記ログ情報を前記眼装着型デバイスから外部のデバイスにダウンロードする
請求項１５に記載の眼装着型デバイス。
【請求項２１】
眼装着型デバイスによって実施される方法であって、
第１の時間に前記眼装着型デバイスの第１の状態を検出することと、
前記第１の時間における使用者による第１の目視行為を示す第１の信号を補助デバイスから受信することであって、前記第１の信号は、前記補助デバイスのユーザインターフェースを介して前記補助デバイスによって受け取られる第１の入力に基づく、受信することと、
前記第１の信号に基づいて、前記第１の状態と、前記第１の目視行為の特性との対応関係を示す第１の構成情報を生成することであって、前記眼装着型デバイスの第１の動作モードは前記第１の構成情報に基づく、生成することと、
第２の時間に前記眼装着型デバイスの第２の状態を検出することと、
前記第２の時間における前記使用者による第２の目視行為を示す第２の信号を前記補助デバイスから受信することであって、前記第２の信号は、前記ユーザインターフェースを介して前記補助デバイスによって受け取られる第２の入力に基づく、受信することと、
前記第２の信号に基づいて、前記第２の状態と、前記第２の目視行為の特性との対応関係を示す第２の構成情報を生成することであって、前記眼装着型デバイスの第２の動作モードは前記第２の構成情報に基づく、生成することと
を含む方法。
【請求項２２】
前記眼装着型デバイスの動作モードのインスタンスを記述するログ情報にアクセスすることと、
前記ログ情報に基づいて、前記動作モードの前記インスタンスの特性によって検査条件が満たされるかどうかを評価することと、
前記検査条件が満たされると識別する前記評価に応答して、前記眼装着型デバイスの動作モードの定義を含む構成情報にアクセスし、前記アクセスすることは、前記定義のうち１つの定義のパラメータを自動的に更新することを含む、アクセスすることと
をさらに含む請求項２１に記載の方法。
【請求項２３】
目視行為と、使用者の眼の中または上に配設された眼装着型デバイスを操作するコマンドとの対応関係を示す構成情報を記憶することと、
前記構成情報を前記記憶する間に、前記眼装着型デバイスの状態を検出することと、
前記検出された状態と前記構成情報とに基づいて、前記目視行為のインスタンスを検出することと、
前記目視行為の前記インスタンスを検出したことに応答して、前記コマンドに対応する動作を行うことと
をさらに含む請求項２１に記載の方法。
【発明の詳細な説明】
【技術分野】
【０００１】
[0001]  関連出願
本願は、２０１４年６月１３日に出願された米国仮出願第６２／０１２，００５号に対する優先権を米国特許法第１１９条（ｅ）の規定により請求する。同仮出願の内容は参照により本明細書に組み込まれる。
【０００２】
[0002]  本開示は、一般には光学の分野に関し、詳細には、これに限定されないがコンタクトレンズに関する。
【背景技術】
【０００３】
[0003]  調節（accommodation）は、距離が変化する物体に焦点を維持するために、眼が焦点距離を調整するプロセスである。調節は反射作用であるが、意識的に操ることができる。調節は、毛様筋の収縮によってコントロールされる。毛様筋は、眼の弾性レンズを取り囲んでおり、筋肉が収縮している間に弾性レンズに力を加え、それにより弾性レンズの焦点を変える。
【０００４】
[0004]  人が加齢するにつれて、毛様筋の有効性は、老眼や、眼の合焦力に影響する年齢に関係する他の進行性の病気に起因して低下することがある。近年の技術は、人間の眼の中または上で動作して、使用者の視覚的な焦点を補助する様々なデバイスを可能にし始めている。そのようなデバイスの１種類では、調節レンズが、１つまたは複数の液晶要素と、電流を印加してその１つまたは複数の要素の屈折率を変える回路とを含む。
【発明の概要】
【０００５】
[0005]  多くの急成長する技術と同様に、そのようなデバイスは、世代が進むにつれて、感度、効率、応答性、機能性などの向上をもたらす可能性が高い。そのため、調節を行うことが可能なデバイスの数と種類が時間とともに増えるのに伴って、そのような眼装着型デバイスの働きを構成または評価するために利便にアクセスする需要が高まると予想される。
【図面の簡単な説明】
【０００６】
[0006]  本発明の様々な実施形態は、限定ではなく例として添付図面の図に示される。
【図１】[0007]本開示の一実施形態による、眼装着型デバイスとの間で通信をやり取りするシステムの機能ブロック図である。
【図２Ａ】[0008]本開示の一実施形態による眼装着型デバイスの上面図である。
【図２Ｂ】[0009]本開示の一実施形態による眼装着型デバイスの斜視図である。
【図３】[0010]本開示の一実施形態による、ユーザインターフェースを介して眼装着型デバイスがアクセスされる環境の要素を示す図である。
【図４Ａ】[0011]本開示の一実施形態による、ユーザインターフェースを介して眼装着型デバイスへのアクセスを提供する方法の要素を示す流れ図である。
【図４Ｂ】[0012]本開示の一実施形態による、眼装着型デバイスを操作する方法の要素を示す流れ図である。
【図５】[0013]本開示の一実施形態による、眼装着型デバイスで決定される構成情報の要素を示す図である。
【図６Ａ】[0014]本開示の一実施形態による、眼装着型デバイスでコマンドに応える方法の要素を示す流れ図である。
【図６Ｂ】[0015]本開示の一実施形態による、眼装着型デバイスの構成情報を維持する方法の要素を示す流れ図である。
【図７】[0016]本開示の対応する実施形態による、評価対象のそれぞれの眼装着型デバイスの動作を各々が示すタイミング図である。
【発明を実施するための形態】
【０００７】
[0017]  眼に装着することができ、調節が可能なデバイスにアクセスする装置、システム、および方法の実施形態が本明細書に記載される。以下の説明では、実施形態の完全な理解を提供するために多数の具体的な詳細が述べられる。ただし、当業者は、本明細書に記載される技術は、それら具体的な詳細の１つもしくは複数を使用せずに、または他の方法、構成要素、材料などを用いて実施できることを認識されよう。他の例では、特定の態様を曖昧にするのを避けるために、よく知られる構造、材料、または動作は、詳細には図示または説明しない。
【０００８】
[0018]  本明細書全体を通じた「１つの実施形態」または「一実施形態」の参照は、その実施形態に関連して記載される特定の特徴、構造、または特性が、本発明の少なくとも１つの実施形態に含まれることを意味する。したがって、本明細書を通じて様々な箇所にある「１つの実施形態では」または「一実施形態では」という表現の出現は、必ずしもすべてが同じ実施形態を指すとは限らない。さらに、そのような特定の特徴、構造、または特性は、１つまたは複数の実施形態で、任意の適切なやり方で組み合わせられてよい。
【０００９】
[0019]  本明細書に記載されるのは、ユーザインターフェースを介して、スマートコンタクトレンズまたは他の眼装着型デバイス（EMD）へのアクセスを提供するデバイスである。いくつかの実施形態は、そのようなユーザインターフェースによってアクセスされる眼装着型デバイスを対象とする。眼装着型デバイスの実施形態は、通信回路、制御電子部品、および調節アクチュエータを含むことができ、これらはすべて、眼に接触して装着されるように形成された封入材料の中に埋め込まれる。制御電子部品は、調節アクチュエータを駆動して、眼装着型デバイスの屈折力を制御するために結合される。いくつかの実施形態では、制御電子部品は情報を記憶するか、またはその他の方法で情報にアクセスして、眼装着型デバイスの動作モードを選択、記録、またはその他の方法で指示する。
【００１０】
[0020]  封入材料は、高分子材料、ヒドロゲル、ＰＭＭＡ、シリコーン系ポリマー（例えばフルオロシリコンアクリル酸塩）、またはその他など、人間の眼と直接接触するのに適合性のある各種材料で作製することができる。封入材料は、眼の角膜表面に装着するように構成された凹湾曲を持つ丸いレンズの形態とすることができる。電子部品は、封入材料の中に埋め込まれた基板の周囲近傍に配設して、角膜の中心領域の近くで受光される入射光との干渉を回避することができる。いくつかの実施形態では、注視方向、または眼装着型デバイスの容量センサ、光検出器システム、もしくは他のセンサ機構からの他の焦点距離情報が使用されて、封入材料の中心部に配置されたシースルー調節アクチュエータを介して加えられる調節の量を決定することができる。調節アクチュエータは、コントローラに結合されて、コントローラによって電気的に操ることができる。例えば、調節アクチュエータは、印加された電気バイアス信号に応答して屈折率を変える液晶セルを用いて実施することができる。他の実施形態では、調節アクチュエータは、印加された電場の存在下で屈折率を変化させる電気光学材料や、変形可能レンズの形状を変える電気機械構造など、他の種類の電気活性光学材料を使用して実施することができる。調節アクチュエータを実施するために使用できる他の例としての構造は、電気湿潤光学部品、微細電気機械システム、またはその他を含む。
【００１１】
[0021]  眼に装着することが可能な、調節を行うレンズデバイスの文脈で様々な実施形態の特徴が本明細書に説明されるが、デバイスの光学的強度（例えば特定の焦点距離に対応する）は、静電容量式の注視追跡機構に基づいて変えることができる。ただし、そのような説明は、それに加えて、またはそれに代えて、使用者の眼の中または上で動作することが可能な各種の他の調節光学デバイスのいずれにも適用することができる。例えば、ある実施形態は、調節アクチュエータがデバイスの光学的強度を変えるための特定の機構（例えば、液晶要素またはその他）に関して制限されない。さらに、いくつかの実施形態は、光学的強度の変化が生じるべきかどうかを決定するために使用できる他の技術の静電容量式の注視追跡、光検出器による注視追跡に関して制限されない。
【００１２】
[0022]  図１は、本開示の実施形態による、補助デバイス１０５を介してアクセスされる調節可能眼装着型デバイス１００の機能ブロック図である。ＥＭＤ１００の露出部分は、眼の角膜表面に接触して装着されるように形成された封入材料１１０を含むことができる。基板１１５が、封入材料１１０の中に埋め込まれるか、または封入材料１１０に包囲されて、電源１２０、コントローラ１２５、調節アクチュエータ１３０、容量センサシステム１３５、アンテナ１４０、ならびに各種の相互接続１４５および１５０のための取付け面を提供することができる。図示される電源１２０の実施形態は、エネルギーハーベストアンテナ１５５、充電回路１６０、およびバッテリ１６５を含む。図示されるコントローラ１２５の実施形態は、制御ロジック１７０、調節ロジック１７５、および通信ロジック１８０を含む。図示される補助デバイス１０５の実施形態は、プロセッサ１８２、アンテナ１８４、およびメモリ１８６を含む。図示されるメモリ１８６の実施形態は、データ記憶１８８およびプログラム命令１９０を含む。
【００１３】
[0023]  コントローラ１２５は、容量センサシステム１３５からフィードバック制御信号を受信するように結合され、さらに、調節アクチュエータ１３０を操作するために結合されることができる。電源１２０は、コントローラ１２５および／または調節アクチュエータ１３０に動作電圧を供給する。アンテナ１４０は、コントローラ１２５によって操作されて、眼装着型デバイス１００との間で情報を通信することができる。１つの実施形態では、アンテナ１４０、コントローラ１２５、電源１２０、および容量センサシステム１３５はすべて、埋め込まれた基板１１５に置かれる。１つの実施形態では、調節アクチュエータ１３０は、封入材料１１０の中に埋め込むことができるが、基板１１５上には配設されない。眼装着型デバイス１００は電子部品を含み、眼に接触して装着されるように構成されるため、本明細書では、眼科用電子部品プラットフォーム、コンタクトレンズ、またはスマートコンタクトレンズとも呼ぶ。
【００１４】
[0024]  接触した装着を容易にするために、封入材料１１０は、濡れた角膜表面に付着する（「載る」）（例えば、角膜表面を被覆する涙の膜との間の毛管力で）ように構成された凹表面を有することができる。それに加えて、またはそれに代えて、眼装着型デバイス１００は、凹湾曲に起因する角膜表面と封入材料１１０との間の真空力によって付着させることもできる。凹表面を眼に当てて装着されるが、封入材料１１０の外側を向く表面は、眼装着型デバイス１００が眼に装着されている間にまぶたの動きを妨げないように形成された凸湾曲を有することができる。例えば、封入材料１１０は、コンタクトレンズと同様の形状に作られた、実質的に透明の湾曲ディスクとすることができる。
【００１５】
[0025]  封入材料１１０は、コンタクトレンズや角膜表面との直接の接触を伴う他の眼科用途で使用するために用いられる材料など、１種または複数の生体適合材料を含むことができる。封入材料１１０は、任意選択により、一部がそのような生体適合材料で形成されるか、または、そのような生体適合材料を用いた外側被覆を含むことができる。封入材料１１０は、ヒドロゲルなど、角膜表面に水分を与えるように構成された材料を含むことができる。事例によっては、封入材料１１０は、装着者の快適さを高めるために、変形可能な（「非剛性の」）材料とすることができる。事例によっては、封入材料１１０は、コンタクトレンズによって提供されることが可能なような、あらかじめ決められた視力を矯正する屈折力を提供する形状にすることができる。封入材料は、高分子材料、ヒドロゲル、ＰＭＭＡ、シリコーン系ポリマー（例えばフルオロシリコンアクリル酸塩）、またはその他を含む各種材料で作製することができる。
【００１６】
[0026]  基板１１５は、容量センサシステム１３５、コントローラ１２５、電源１２０、およびアンテナ１４０を取り付けるのに適した１つまたは複数の表面を備える。基板１１５は、チップ型回路のための取付けプラットフォーム（例えばフリップチップ実装による）として、および／または、導電性材料（例えば、金、白金、パラジウム、チタン、銅、アルミニウム、銀、金属、他の導電性材料、それらの組み合わせなど）をパターニングして電極、相互接続、アンテナなどを作成するためのプラットフォームの両方として用いることができる。いくつかの実施形態では、実質的に透明の導電性材料（例えば酸化インジウムスズ）を基板１１５にパターニングして、回路、電極などを形成することができる。例えば、アンテナ１４０は、金または別の導電性材料のパターンを基板１１５に堆積させることによって形成することができる。同様に、相互接続１４５および１５０は、導電性材料の適切なパターンを基板１１５に堆積させることによって形成することができる。レジスト、マスク、および堆積技術の組み合わせを用いて、基板１１５上に材料をパターニングすることができる。基板１１５は、ポリエチレンテレフタレート（「PET」）、または封入材料１１０の中で回路および／または電子部品を構造的に支持するのに十分な別の材料など、比較的剛性の高い材料とすることができる。それに代えて、眼装着型デバイス１００は、単一の基板ではなく、接続されていない基板の群を用いて構築されてもよい。例えば、コントローラ１２５および電源１２０は１つの基板に取り付けることができ、一方、アンテナ１４０および容量センサシステム１３５は別の基板に取り付けて、２つの基板を相互接続を介して電気的に接続することができる。
【００１７】
[0027]  いくつかの実施形態では、電源１２０およびコントローラ１２５（ならびに基板１１５）は、眼装着型デバイス１００の中心から離して配置されることにより、眼装着型デバイス１１０の中心を通る眼への光の伝達との干渉を回避することができる。対して、調節アクチュエータ１３０は、中心に配置されて、眼装着型デバイス１１０の中心を通って眼に伝達される光に光学的な調節を加えることができる。例えば、眼装着型デバイス１００が凹型に湾曲したディスクの形状とされる場合、基板１１５は、ディスクの周囲に沿って（例えば外周の近傍に）埋め込むことができる。いくつかの実施形態では、容量センサシステム１３５は、まぶたの重なりを感知するために周囲に分散された１つまたは複数の個別の静電容量センサを含む。いくつかの実施形態では、１つまたは複数の静電容量センサが、眼装着型デバイス１００の中心領域に配置されてもよい。容量センサシステム１３５および／または基板１１５は、入ってくる可視光を実質的に透過して、眼への光の伝達との干渉を緩和する。
【００１８】
[0028]  基板１１５は、埋め込まれる電子部品コンポーネントのための取付けプラットフォームを提供するのに十分な径方向の幅寸法を持つ、平坦な環の形状とすることができる。基板１１５は、眼装着型デバイス１００の断面形状に悪影響を与えることなく、基板を封入材料１１０の中に埋め込めるようにするのに十分に小さい厚さを有することができる。基板１１５は、基板１１５に取り付けられた電子部品を支持するのに適した構造的安定性を提供するのに十分に大きい厚さを有することができる。例えば、基板１１５は、約１０ミリメートルの直径、約１ミリメートルの径方向の幅（例えば外側半径が内側半径よりも１ミリメートル大きい）、および約５０マイクロメートルの厚さを持つ環の形状とすることができる。基板１１５は、任意選択により、眼装着型デバイス１００の眼装着面（例えば凸表面）の湾曲と一致させることができる。例えば、基板１１５は、内側半径と外側半径を定義する２つの円形セグメントの間の架空の円錐の表面に沿った形状とすることができる。そのような例では、架空の円錐の表面に沿った基板１１５の表面は、眼装着面の湾曲とその半径でおよそ一致する、傾斜した表面を定義する。
【００１９】
[0029]  図示する実施形態では、電源１２０は、コントローラ１２５を含む、各種の埋め込まれた電子部品に給電するバッテリ１６５を含む。バッテリ１６５は、充電回路１６０およびエネルギーハーベストアンテナ１５５によって、誘導充電されることが可能である。１つの実施形態では、アンテナ１４０およびエネルギーハーベストアンテナ１５５は、各自のエネルギーハーベスト機能と通信機能を行う独立したアンテナである。別の実施形態では、エネルギーハーベストアンテナ１５５およびアンテナ１４０は、各自の誘導充電機能および補助デバイス１０５とのワイヤレス通信機能のために時分割で使用される同じ物理的アンテナである。それに加えて、またはそれに代えて、電源１２０は、入ってくる紫外線放射、可視放射、および／または赤外線放射からエネルギーを取り込む太陽電池（「光起電電池」）を含むこともできる。さらに、周辺の振動からエネルギーを取り込むために慣性力捕捉システムが含まれてもよい。
【００２０】
[0030]  充電回路１６０は、バッテリ１６５を充電するため、またはバッテリ１６５を使用せずに直接コントローラ１２５に給電するために、取り込まれたエネルギーを適応させる整流器／調整器を含むことができる。充電回路１６０は、エネルギーハーベストアンテナ１５５内の高周波変動を緩和するために１つまたは複数のエネルギー蓄積装置も含むことができる。例えば、１つまたは複数のエネルギー蓄積装置（例えば、コンデンサ、インダクタなど）が接続されて、ローパスフィルタとして機能することができる。
【００２１】
[0031]  コントローラ１２５は、埋め込まれた他のコンポーネントの動作を計画するロジックを含んでいる。制御ロジック１７０は、論理ユーザインターフェースや電力制御機能などを提供することを含めて、眼装着型デバイス１００の全般的な動作を制御する。調節ロジック１７５は、容量センサシステム１３５からのフィードバック信号を監視し、使用者の現在の注視方向または焦点距離を判定し、それに応じて適切な調節を提供するように調節アクチュエータ１３０を操るためのロジックを含む。静電容量式の注視追跡からのフィードバックに基づいて実時間で自動的な調節が実施されるか、または、特定の調節状況（例えば、物を読むための近視野調節、日常的な活動のための遠視野調節など）を選択するための使用者による制御を可能にすることができる。コントローラ１２５の回路は、例示的メモリ１８５（例えば揮発性メモリセルを含む）として表されるように、基板１１５上のリポジトリを含むか、またはリポジトリに結合することができ、このリポジトリは、例えば、その回路によって書き込まれたデータ、その回路の動作を決定するデータ、および／またはＥＭＤ１００によって受信された（もしくはＥＭＤ１００から送信される）データを記憶する。そのようなリポジトリは、調節ロジック１７５および／またはコントローラ１２５の他のコンポーネントの働きを記述するログ情報を記憶することができる。
【００２２】
[0032]  通信ロジック１８０は、アンテナ１４０を介して補助デバイス１０５とワイヤレス通信するための通信プロトコルを提供する。１つの実施形態では、通信ロジック１８０は、補助デバイス１０５から出力された電磁場１７１の存在下で、アンテナ１４０を介して後方散乱通信を提供する。１つの実施形態では、通信ロジック１８０は、後方散乱ワイヤレス通信のためにアンテナ１４０のインピーダンスを変調するスマートワイヤレス無線周波識別（「RFID」）タグとして動作する。コントローラ１２５の各種ロジックモジュールは、汎用マイクロプロセッサで実行されるソフトウェア／ファームウェア、ハードウェア（例えば特定用途集積回路）、または両者の組み合わせとして実施することができる。
【００２３】
[0033]  眼装着型デバイス１００は、各種の他の埋め込まれた電子部品およびロジックモジュールを含むことができる。例えば、光源または画素の配列が含められて、使用者に可視のフィードバックを提供することができる。加速度計またはジャイロスコープが含められて、位置、回転、方向、または加速のフィードバック情報をコントローラ１２５に提供することができる。
【００２４】
[0034]  図１に示すブロック図は、説明の便宜上機能モジュールとの関連で説明するが、必ずしも物理的な編成を暗示しないことに留意されたい。そうではなく、眼装着型デバイス１００の実施形態は、単一のチップ、複数のチップ、１つもしくは複数の集積回路、または他の形で実施される機能モジュール（「サブシステム」）の１つまたは複数を用いて構築することができる。
【００２５】
[0035]  補助デバイス１０５は、眼装着型デバイス１００との間でワイヤレス信号１７１を送受信するためのアンテナ１８４（または２つ以上のアンテナからなる群）を含む。補助デバイス１０５は、メモリ１８６と通信状態にあるプロセッサ１８２を備えたコンピューティングシステムも含む。メモリ１８６は、非一時的なコンピュータ可読媒体とすることができ、これは、これらに限定されないが、磁気ディスク、光ディスク、有機メモリ、および／またはプロセッサ１８２により可読の任意の他の揮発性（例えばRAM）もしくは不揮発性の（例えばROM）記憶システムを含むことができる。メモリ１８６は、データログ（例えばユーザログ）、プログラム設定（例えば、眼装着型デバイス１００および／または補助デバイス１０５の振る舞いを調整する）などのデータの指示を記憶するデータ記憶１８８を含むことができる。メモリ１８６は、プロセッサ１８２によって実行されて補助デバイス１０５に命令１９０によって指定されるプロセスを行わせるプログラム命令１９０も含むことができる。例えば、プログラム命令１９０により、眼装着型デバイス１００から通信された情報を取得することを可能にする、または眼装着型デバイス１００に情報を送信して眼装着型デバイス１００の動作モードをプログラムもしくはその他の方法で選択することを可能にするユーザインターフェースを、補助デバイス１０５が提供することができる。補助デバイス１０５は、アンテナ１８４を操作して眼装着型デバイス１００との間でワイヤレス信号１７１を送受信するための１つまたは複数のハードウェアコンポーネントも含むことができる。
【００２６】
[0036]  補助デバイス１０５は、スマートフォン、デジタルアシスタント、または、ワイヤレス通信リンク１７１を提供するのに十分なワイヤレスの接続性を持つ他の携帯型コンピューティングデバイスとすることができる。補助デバイス１０５は、通信リンク１７１が携帯型コンピューティングデバイスで一般に用いられないキャリア周波数で動作する例などで、携帯型コンピューティングデバイスにプラグ接続することができるアンテナモジュールとして実施されてもよい。事例によっては、補助デバイス１０５は、ワイヤレス通信リンク１７１が低いパワーバジェットで動作できるように、装着者の眼の比較的近傍に装着するように構成された特殊目的デバイスである。例えば、補助デバイス１０５は、ネックレスやイヤリングなどの宝飾品の中に組み込まれるか、または、帽子やヘアバンドなど、頭部の近傍に着用される衣類品の中に組み込むことができる。
【００２７】
[0037]  図２Ａおよび図２Ｂは、本開示の実施形態による眼装着型デバイス２００の２つの方向から見た図を示す。図２ＡはＥＭＤ２００の上面図であり、図２ＢはＥＭＤ２００の斜視図である。眼装着型デバイス２００は、図１に示す眼装着型デバイス１００の可能な実装形態の１つである。図示される眼装着型デバイス２００の実施形態は、封入材料２１０、基板２１５、電源２２０、コントローラ２２５、調節アクチュエータ２３０、容量センサシステム２３５、およびアンテナ２４０を含む。図２Ａおよび図２Ｂは必ずしも一定の縮尺で描かれておらず、例としての眼装着型デバイス２００の構築を記載する際の説明のみを目的として図示されていることを理解されたい。
【００２８】
[0038]  眼装着型デバイス２００の封入材料２１０は、湾曲したディスクの形状とすることができる。封入材料２１０は、眼装着型デバイス２００が眼に装着されている間に入射光を眼に伝達させる実質的に透明の材料である。封入材料２１０は、視力測定法で視力矯正用コンタクトレンズおよび／または美容用コンタクトレンズを形成するために用いられる材料と同様の生体適合材料とすることができ、そのような材料は、高分子材料、ポリエチレンテレフタレート（「PET」）、ポリメタクリル酸メチル（「PMMA」）、ポリヒドロキシエチルメタクリレート（「polyHEMA」）、ヒドロゲル、シリコン系ポリマー（例えばフルオロシリコンアクリル酸塩）、それらの組み合わせ、またはその他などである。封入材料２１０は、一方の側が、眼の角膜表面にフィットするのに適した凹表面２１１を有するように形成することができる。ディスクの反対側は、眼装着型デバイス２００が眼に装着されている間にまぶたの動きを妨げない凸表面２１２を有することができる。図示される実施形態では、円形または楕円形の外側側面縁部２１３が、凹表面２１１と凸表面２１２とをつなぐ。
【００２９】
[0039]  眼装着型デバイス２００は、およそ１センチメートルの直径、および約０．１〜約０．５ミリメートルの厚さなど、視力矯正用および／または美容用コンタクトレンズと同様の寸法を有することができる。ただし、この直径および厚さの値は単に説明の目的で提供されるものである。いくつかの実施形態では、眼装着型デバイス２００の寸法は、装着者の眼の角膜表面の大きさおよび／または形状に応じて選択されてよい。封入材料２１０は、様々なやり方で湾曲した形状に形成することができる。例えば、加熱成形、射出成形、スピンキャスト法など、視力矯正用コンタクトレンズの形成に用いられる技術と同様の技術を用いて、封入材料２１０を形成することができる。
【００３０】
[0040]  基板２１５は、封入材料２１０の中に埋め込むことができる。基板２１５は、調節アクチュエータ２３０が配置される中心領域から離して、封入材料２１０の外側周囲に沿って置かれるように埋め込むことができる。図示される実施形態では、基板２１５が調節アクチュエータ２３０を取り囲む。基板２１５は、眼にごく近いために焦点が合うことはなく、また眼の光感知部分に入射光が伝達される中心領域から離して配置されるので、視覚を妨げない可能性がある。いくつかの実施形態では、基板２１５は、任意選択により透明材料で形成して、視覚的な知覚に対する影響をさらに緩和することができる。基板２１５は、平坦な円形の環の形状とされてよい（例えば、中心に孔があるディスク）。基板２１５の平坦な表面（例えば径方向の幅に沿った）は、電子部品を取り付けるため、ならびに電極、アンテナ、および／または相互接続を形成する導電性材料をパターニングするためのプラットフォームとすることができる。
【００３１】
[0041]  容量センサシステム２３５は、眼装着型デバイス２００全体に分散されて、静電容量式のタッチ画面と同じようにしてまぶたの重なりを感知することができる。まぶたの重なりの量および位置を監視することにより、容量センサシステム２３５からのフィードバック信号をコントローラ２２５によって測定して、およその注視方向および／または焦点距離を決定することができる。容量センサシステム２３５は、基板２１５上の封入材料２１０の中に配設されることが可能である。図示される実施形態では、容量センサシステム２３５は、基板２１５の内側の縁部に沿って、アンテナ２４０と調節アクチュエータ２３０との間に、調節アクチュエータ２３０の周囲に分散されている。他の実施形態では、容量センサシステム２３５は、それに代えて、眼装着型デバイス２００の中または表面に分散させることもできる。図示される実施形態では、容量センサシステム２３５は、共通の読出し線に結合された複数の個別の静電容量センサを含むが、様々な実装形態は、単一の長形の静電容量センサ、複数の個別の静電容量センサ、共通の読出し線を介して並列に結合された複数の個別の静電容量センサ、並列に結合された個別の静電容量センサの複数の独立した枝路などを含む。別の実施形態では、光検出器が様々な方式で眼装着型デバイス２００に配設されて、静電容量式の感知に代えて、または静電容量式の感知に加えて、光レベル（例えば光レベルの変化などを含む）に基づく目視行為の監視を行う。
【００３２】
[0042]  調節アクチュエータ２３０は、封入材料２１０内の中心に配置されて、使用者の視野の中心で眼装着型デバイス２００の屈折力に影響を与えることができる。様々な実施形態で、調節アクチュエータ２３０は、コントローラ２２５の影響下でアクチュエータ２３０の屈折率を変えることによって動作する。アクチュエータ２３０の屈折率を変えることにより、眼装着型デバイス２００の湾曲表面の有効屈折力を改変することができ、それにより、制御可能な調節を加えることができる。調節アクチュエータ２３０は、種々の電気活性光学デバイスを使用して実施することができる。例えば、調節アクチュエータ２３０は、封入材料２１０の中心に配設された液晶の層（例えば液晶セル）を使用して実施することができる。他の実施形態では、調節アクチュエータ２３０は、印加された電場の存在下で屈折率を変化させる電気光学材料など、他の種類の電気活性光学材料を使用して実施することができる。調節アクチュエータ２３０は、封入材料２１０の中に埋め込まれた別個のデバイス（例えば液晶セル）、または制御可能な屈折率を有するバルク材料とすることができる。さらに別の実施形態では、調節アクチュエータ２３０は、電気信号の影響下で形状を変える変形可能なレンズ構造を使用して実施することができる。そのため、眼装着型デバイス２００の屈折力は、コントローラ２２５から調節アクチュエータ２３０に延びる１つまたは複数の電極を介して電気信号を印加することで、コントローラ２２５によって制御することが可能である。
【００３３】
[0043]  調節アクチュエータ２３０は、ネマティック液晶、ネマティックねじれ液晶、コレステリック液晶、またはブルー相液晶を含む種々の液晶構造を使用して実施することができる。低電力のチップ設計には低い切り替え電圧が望ましいため、切り替え電圧が５Ｖ未満のネマティック液晶が適する。５Ｖの制御信号の印加で、オフモードにおけるおよそ１．７４から、オンモードにおける１．５２の範囲の屈折率の切り替えが達成できる。０．２の屈折率の変移は、物を読むための近視野調節を提供するのに十分なはずである。
【００３４】
[0044]  図２Ａに戻り、ループアンテナ２４０は、基板の平坦な表面に沿ってパターニングされて平坦な導電性の環を形成する導電性材料の層である。例によっては、封入材料の湾曲に沿って追加的な柔軟性を可能にするために、ループアンテナ２４０は、互いと電気的につながれた、実質的に同心の複数の区画を含むことができる。そして、各区画が眼装着型デバイス２００の凹／凸湾曲に沿って、独立して曲がることができる。例によっては、ループアンテナ２４０は、完全な輪を作らずに形成されてもよい。例えば、アンテナ２４０は、図２Ａに示すように、コントローラ２２５および電源２２０のための空間を可能にする切り抜き部を有することができる。ただし、ループアンテナ２４０は、基板２１５の平坦表面の周囲全体を１回または複数回巻回する、一続きの導電性材料の細片として構築されてもよい。例えば、複数回巻かれた導電性材料の細片を、基板２１５の裏側の、コントローラ２２５、電源２２０、および容量センサシステム２３５の反対側にパターニングすることができる。そして、そのような巻かれたアンテナの端部（例えばアンテナ引き込み）間の相互接続を、基板２１５を通してコントローラ２２５に通すことができる。
【００３５】
[0045]  図３は、実施形態による、調節が可能なＥＭＤがアクセスされる環境３００の特徴を示す。ＥＭＤは、例えば、ＥＭＤ１００またはＥＭＤ２００の特徴の一部またはすべてを備えることができる。ＥＭＤへのアクセスは、例示的デバイス３２０によって表されるように、補助デバイスを用いて行うことができる。デバイス３２０は、補助デバイス１０５の特徴のすべての一部を備えることができる。
【００３６】
[0046]  １つの実施形態による例示的なシナリオでは、環境３００内の使用者３１０の眼の中または上にＥＭＤ３１２が配設されている。デバイス３２０は、ＥＭＤ３１２にアクセスするために、例えば、使用者３１０、眼科医、検眼士、光学器械の販売者、技術者などによって操作することができる。デバイス３２０などの補助デバイスと、使用者の眼の中または上にある単一のＥＭＤとの間のやり取りに関連して、様々な実施形態の特定の特徴が本明細書に説明される。しかし、そのような説明は、補助デバイスと、使用者の左右の眼の中または上にある２つのＥＭＤのそれぞれとの間のやり取りに様々な形で適用するように拡張することができる。
【００３７】
[0047]  ＥＭＤ３１２へのアクセスは、例えば、ＥＭＤ３１２の各動作モードをそれぞれが少なくとも部分的に定義する１つまたは複数のパラメータを構成するか、その他の方法で決定する情報を含むワイヤレス通信を、ＥＭＤ３１２とデバイス３２０との間でやり取りすることを含むことができる。それに代えて、またはそれに加えて、そのような通信は、使用者によるＥＭＤ３１２の以前の何らかの操作を記述する情報を含むことができる。それに代えて、またはそれに加えて、通信の一部は、それぞれがＥＭＤ３１２に対する個々の明示的なコマンドとして働く、使用者３１０による１つまたは複数の行為をＥＭＤ３１２が定義するのを支援することもできる。
【００３８】
[0048]  いくつかの実施形態では、デバイス３２０は、例えば、プログラム命令１９０の少なくとも一部を実行するプロセッサ１８２、または他のハードウェアおよび／もしくは実行ソフトウェアを含む、ユーザインターフェースを提供するように構成されたロジックを含む。デバイス３２０のそのようなインターフェースの一例が、例示的なグラフィカルユーザインターフェース（GUI）３２４によって詳細図３２２に表されている。
【００３９】
[0049]  ＧＵＩは、使用者３１０がそれぞれの動作を行うための１つまたは複数のプロンプトを提示することができる。例えば、ＥＭＤ３１２とデバイス３２０との間でやり取りされる通信は、例えばＥＭＤ３１２を用いた１つまたは複数の目視行為など、使用者３１０によって行われる一連の行為に基づいてＥＭＤ３１２を較正および／または訓練する動作を支援することができる。目視行為は、例えば、使用者３１０が、自身の注視を特定の方向（もしくは視野の特定のエリア内）に向けること、自身の注視の方向を特定の経路に沿って移動すること、および／または特定の距離（もしくは特定の範囲の距離内）にある何らかの物体に焦点を合わせることを含み得る。それに代えて、またはそれに加えて、目視行為は、使用者３１０がまばたきをする（例えば、１回、または特定のまばたきの連続に従って）、眼を閉じる、眼をぐるりと回す、寄り目にする、なども含み得る。
【００４０】
[0050]  限定ではなく例示として、ユーザインターフェースは、ＧＵＩ３２４の例示的プロンプトによって表されるように、上を見る、下を見る、左を見る、右を見るなどの様々な目視行為を使用者３１０に行わせる、一連の視覚、音声、触覚および／またはその他によるプロンプトを使用者３１０（または、デバイス３２０を操作する別の者）に提示することができる。そのようなプロンプトに応答して、目視行為が使用者３１０によって行われて、その目視行為と同時にＥＭＤ３１０がセンサ情報を生成し、そのセンサ情報とその目視行為のそれぞれとの様々な対応関係を識別するのを助けることができる。例えば、ＥＭＤ３１２は、使用者３１０の視野内の１つまたは複数の基準方向および／または領域、ＥＭＤ３１２の調節機能によって選択的に提供されるべき１つまたは複数の光学的強度、各々がＥＭＤ３１２に対するそれぞれの明示的なコマンドとして働く１つまたは複数の目視行為などを様々に表すものとして、センサ情報を識別することができる。
【００４１】
[0051]  使用者３１０または誰か他のデバイス３２０の操作者は、使用者３１０が促された行為を現在行っているか、または間もなく行うことを示す、視覚、接触、音声、慣性、圧力、応力、温度、または他による入力を、ＧＵＩ３２４（またはデバイス３２０の他の同様のインターフェース機構）を介して提供することができる。例えば、デバイス３２０は、使用者３１０の目視の方向を判定するカメラおよび眼追跡ロジックを含むことができる。使用者３１０からそれぞれ異なる距離にある印、物体、および／または他の物に焦点を合わせるように、連続して使用者３１０を促すことができる。そのようなものの一例が、使用者３１０から距離ｄ１にある例示的な本３５０、距離ｄ２にあるデスクトップコンピュータ３５２、距離ｄ３にあるドア３５４、および地平線の距離ｄ４にある景色３５６によって表されている。使用者３１０が所与の距離にあるものに焦点を合わせている間、デバイス３２０は、異なる時に異なる調節レベルを連続的に提供するようにＥＭＤ３１２に指示を出し、一方、使用者３１０は、それらの調節レベルのうち好ましい調節レベルを示すように（ＧＵＩ３２４および／またはデバイス３２０の操作者によって）促される。好ましい調節レベルは、ＧＵＩ３２４を介して提供される入力によって示され、次いでＥＭＤ３１２に通信されることができる。例えば、好ましい調節レベルと所与の距離（またはその距離を含む距離の範囲）との対応関係は、ＧＵＩ３２４を介したそのような入力、および／またはＥＭＤ３１２とデバイス３２０との間の関連する通信に基づいて、ＥＭＤ３１２によって判定することができる。
【００４２】
[0052]  それに代えて、またはそれに加えて、使用者３１０は、水平線３３４に沿って視野の中心線３３０からずれた１つもしくは複数の方向、および／または、垂直線３３２に沿って中心線３３０からずれた１つもしくは複数の方向、を連続的に注視するように促される場合もある。ＥＭＤ３１２の容量センサ、光検出器システム、または他のセンサ機構は、使用者３１０が特定の方向を注視している間にセンサ情報を生成することができ、ＥＭＤ３１２とデバイス３２０との間の通信の結果、ＥＭＤが訓練され、例えば、訓練は、ＥＭＤが、センサ情報と注視方向との対応関係を示す構成情報を記憶することを含む。そのような訓練はさらに、ＥＭＤ３１２が、使用者３１２の注視の方向（例えば、注視野の方向を関連付けることを含む）と、ＥＭＤ３１２による調節のレベルとの関連付けを判定することを含むことができる。所与の光学的強度と、注視野の方向との関連付けは、部分的には、ＥＭＤの製造者から提供される情報、ＥＭＤの使用者に対する眼の処方、および／または他の事前情報に基づくことができる。例えば、ＥＭＤの製造者、販売業者、または他の媒介者が、比較的近い距離からの目視と比較的遠い距離からの目視にそれぞれ関連付けるべき、事前に定義された注視野の方向を記述した情報を提供することができる。
【００４３】
[0053]  図４Ａは、実施形態による、ユーザインターフェースを用いた眼装着型デバイスの構成を可能にする方法４００の要素を示す。一実施形態では、方法４００は、例えば補助デバイス１０５の特徴の一部またはすべてを持つデバイスを用いて行われる。方法４００の動作は、１つまたは複数のＥＭＤを構成するために、環境３００（または他のそのような環境）内で行われてよい。
【００４４】
[0054]  方法４００は、４０５で、使用者の眼の中または上に眼装着型デバイスを配設した状態で第１の目視行為を行うように、デバイスのユーザインターフェースで使用者を促すことを含むことができる。ユーザインターフェースは、１つまたは複数の表示、音声、接触、触覚、および／またはその他によるインターフェース機構を含むことができ、それらには、これらに限定されないが、ディスプレイ、キーボード、マウス、タッチ画面、タッチパッド、ビデオカメラ、マイクロフォン、スピーカ、動きセンサなどの一部またはすべてが含まれる。１つの実施形態では、ユーザインターフェースは、ユーザインターフェースとの対話を介して何らかの目視行為を行うことを示すためにＥＭＤの使用者がその目視行為から逸脱することを必要としない、１つまたは複数の入力機構および／または出力機構を含む。そのような１つまたは複数の機構の例には、これらに限定されないが、ビデオカメラおよび眼追跡ソフトウェア、音声スピーカおよび触覚センサ、慣性センサ、圧力センサ、応力センサ、温度センサなどが含まれる。４０５で促すことは、インターフェースが、デバイスの使用者、例えばＥＭＤの使用者、医師、または技術者に対して、ＥＭＤの使用者が注視すべき方向、および／またはＥＭＤの使用者が焦点を合わせるべき距離（もしくは距離範囲）を表示するか、または他の方法で表すことを含むことができる。
【００４５】
[0055]  方法４００は、４１０で、第１の目視行為について第１の時間を指示する第１の信号を眼装着型デバイスに送ることをさらに含むことができ、眼装着型デバイスは、その第１の信号に基づいて第１の構成情報を生成する。例えば、第１の時間は、デバイスの使用者がユーザインターフェースを用いて対話する時に基づくか、その他の形で対応することができる。限定ではなく例示として、方法４００は、第１の目視行為を現在行っている時または間もなく行う時にユーザインターフェースが入力を受け取ることを含む、他の動作（図示せず）も含むことができる。それに代えて、ユーザインターフェースは、第１の目視行為をいつ行うかを使用者に指示する、音、振動、または他の出力を提供してもよい。ユーザインターフェースを介したそのような対話によって指示される実行の時間に基づいて、４１０で、デバイスは、ＥＭＤに送信される第１の信号を生成することができる。１つの実施形態では、第１の信号は、ＥＭＤに対して第１の時間を識別し、ＥＭＤは、ＥＭＤの第１の状態（例えばＥＭＤで生成されたセンサ情報を含む）が、識別された第１の時間と同時であると識別する。それに代えて、ＥＭＤは、連続的に生成される状態情報をデバイスにストリーミングするか、またはその他の方法で送ることもでき、デバイスは、その状態情報の特定の部分が、第１の時間と一致すると識別する。そして、デバイスは、その一致を、２１０で送信される第１の信号でＥＭＤに通信することができる。
【００４６】
[0056]  第１の構成情報は、第１の目視行為の特性を、第１の時間中の眼装着型デバイスの第１の状態に対応付けることができる。第１の構成情報に基づいて、眼装着型デバイスの第１の動作モードが、定義、実施、および／またはその他の方法で決定されることが可能である。第１の構成は、第１の動作モードの定義を含むことができ、定義は、例えば、第１の動作モード中にＥＭＤによって提供されるべき調節レベルを指定するか、またはその他の方法で指示することができる。それに代えて、またはそれに加えて、第１の動作モードの定義は、その動作モード中のＥＭＤの使用者の注視の方向を指定するか、またはその他の方法で指示することができる（例えば方向の野を指示することによる）。
【００４７】
[0057]  方法４００は、４１５で、眼装着型デバイスとともに第２の目視行為を行うように、ユーザインターフェースでＥＭＤの使用者を促すことをさらに含むことができる。４１５の促すことは、４０５の促すことと同様の特徴を含むことができ、第２の目視行為は第１の目視行為と異なる。例えば、第１の目視行為と第２の目視行為は、ＥＭＤの使用者による焦点および／または注視の方向に関して互いと異なってよい。
【００４８】
[0058]  一実施形態では、方法４００は、４２０で、眼装着型デバイスに第２の信号を送ることを含み、第２の信号は、第２の目視行為について第２の時間を指示し、眼装着型デバイスは、その第２の信号に基づいて第２の構成情報を生成する。第２の構成情報は、第２の目視行為の特性を、第２の時間中の眼装着型デバイスの第２の状態に対応付けることができる。第２の構成情報に基づいて、眼装着型デバイスの第２の動作モードが、定義、実施、および／またはその他の方法で決定されることが可能である。２つのそのような動作モードの定義により、後のＥＭＤの動作を可能にすることができ、ＥＭＤの制御ロジックは、その定義にアクセスして、実施する調節のレベルを選択するか、またはその他の方法で決定する。
【００４９】
[0059]  図４Ｂは、一実施形態による眼装着型デバイスを操作する方法４５０の要素を示す。方法４５０は、例えば、例えば方法４００を同時に行う補助デバイスと協働して、使用者の眼の中または上に配設されたＥＭＤによって行うことができる。方法４００の動作は、ＥＭＤ１００、２００、３１２のうち１つのＥＭＤの特徴を持つＥＭＤによって行うことができる。
【００５０】
[0060]  一実施形態では、方法４５０は、４５５で、第１の時間に眼装着型デバイスの第１の状態を検出することを含む。第１の状態の検出は、例えば、第１の時間におけるＥＭＤの使用者による注視の方向を示す、容量センサ、光検出器、または他のセンサ機構の状態を検出することを含むことができる。それに代えて、またはそれに加えて、４５５の検出することは、第１の時間にＥＭＤの調節アクチュエータで提供される光学的強度を検出することを含むことができる。第１の状態を検出することは、例えばＥＭＤが検出を行うことを求める、第１の時間またはその直前の要求で、ＥＭＤに第１の時間を指定するかまたはその他の方法で指示する、補助デバイスからのワイヤレス通信に応答して行うことができる。
【００５１】
[0061]  方法４５０は、４６０で、第１の時間における使用者による第１の目視行為を示す第１の信号を補助デバイスから受信することをさらに含むことができる。４６０で受信される第１の信号は、例えば、方法４００の４１０で送信された第１の信号の一部またはすべてを含むことができる。第１の信号は、補助デバイスのユーザインターフェースを介して補助デバイスに受け取られる第１の入力に基づいて、補助デバイスによって生成することができる。例えば、補助デバイスの操作者がそのような入力を提供して、第１の目視行為が現在行われているか、行われようとしていることを示すことができ、補助デバイスは、その入力に基づいて第１の時間を決定し、その第１の時間をＥＭＤに指示することができる。
【００５２】
[0062]  第１の信号に基づいて、方法４５０は、４６５で、第１の状態を第１の目視行為の特性と対応付ける第１の構成情報を生成することができ、眼装着型デバイスの第１の動作モードは、第１の構成情報に基づく。一実施形態では、第１の構成情報は、第１の動作モード中に調節アクチュエータによって提供されるべき光学的強度を指定するかまたはその他の方法で指示する。それに代えて、またはそれに加えて、第１の構成情報は、第１の動作モード中にＥＭＤの使用者により可能な注視の方向を指定するか、またはその他の方法で指示することができる（例えば、可能な注視方向の範囲を指示することによる）。
【００５３】
[0063]  方法４５０は、４７０で、第２の時間に眼装着型デバイスの第２の状態を検出することをさらに含むことができる。４７０の検出することは、４５５の検出することと同様の特徴を含むことができ、第２の状態は第１の状態と異なる。例えば、第１の状態と第２の状態は、調節アクチュエータで提供される調節のレベルに関して、および／またはＥＭＤの使用者による注視の方向に関して、互いと異なる可能性がある。４７５で、方法４００は、補助デバイスから、第２の時間における使用者による第２の目視行為を示す第２の信号を受信することができ、第２の信号は、ユーザインターフェースを介して補助デバイスに受信される第２の入力に基づく。４７５で受信される第２の信号は、例えば、方法４００の４２０で送信された第２の信号の一部またはすべてを含むことができる。第２の信号に基づいて、方法４５０は、４８０で、第２の状態と、第２の目視行為の特性との対応関係を示す第２の構成情報を生成することができ、眼装着型デバイスの第２の動作モードは、第２の構成情報に基づく。第１の構成情報と同様に、第２の構成情報は、ＥＭＤの使用者による特定の注視方向（例えば注視方向の範囲）に対して特定の調節レベルを提供するものとして、第２の動作モードを定義することができる。
【００５４】
[0064]  図５は、それぞれの実施形態に従って各々が眼装着型デバイスの動作モードを様々に決定する例示的な構成情報５００、５１０を示す。構成情報５００、５１０の一部またはすべては、例えば方法４００、４５０の一方または両方に基づいて生成され得る。構成情報５００、５１０の特定の構造および内容は例示的なものに過ぎず、異なる実施形態に応じて変化してよい。
【００５５】
[0065]  定義されたＥＭＤモードごとに、構成情報５００は、それぞれのモード識別子５０２、そのモードによって提供されるそれぞれの光学的強度を表す値ＯＳＶ５０４、および１つまたは複数のイベントを示す遷移状態情報５０６を含むことができ、その１つまたは複数のイベントが検出されると、その動作モードへの（またはそれに代えてその動作モードからの）遷移を発生させる。限定ではなく例示として、構成情報５００は、例えばＥＭＤの調節アクチュエータを動作させる信号のレベルおよび／または周波数を表す値Ｖaによって示される光学的強度を提供するように、モードＭａを定義することができる。ＥＭＤの制御ロジックは、状態Ｓａの１つまたは複数のイベント（イベントcaを含む）の検出に応答して、動作モードＭａを構成することができる。そのような１つまたは複数のイベントには、ＥＭＤの使用者による注視の方向が、少なくとも何らかの最小閾値期間にわたって、値Ｖａで示される光学的強度に対応すると定義された方向の範囲内にあることが含まれ得る。
【００５６】
[0066]  モードＭａの定義に加えて、構成情報は、例えば、値Ｖｂで示される調節レベルに対応するモードＭｂを含む、１つまたは複数の他の動作モードも定義することができる。構成情報５００に基づいて、ＥＭＤの制御ロジックは、使用者が状態Ｓａの１つまたは複数の条件を満たす時に、Ｖａで表される調節レベルを提供することができ、使用者が状態Ｓｂの１つまたは複数の条件を満たす時に、Ｖｂで表される調節レベルを提供することができる。追加および／または代替のＥＭＤ動作モードが、異なる実施形態に応じて構成モード５００によって様々に定義されてよい。
【００５７】
[0067]  いくつかの実施形態では、ＥＭＤの制御ロジックは、各々がそれぞれの部分動作モード、または下位モードからなる複数の動作モードをサポートする。そのようなモード中、ＥＭＤは、例えばＥＭＤの使用者による注視の方向に基づいて、そのモードの下位モード間を遷移することができる。所与の動作モードの下位モードは各々、例えばＥＭＤの使用者による異なる注視の方向（例えば異なる注視野の方向）に対応する、異なるそれぞれの調節強度を提供することができる。
【００５８】
[0068]  限定ではなく例示として、構成情報５１０は、例示的モードＭａ、Ｍｂ、．．．、Ｍｎによって表されるように、複数の動作モード各々のそれぞれのモード識別子５２０を含むことができる。構成情報５１０はさらに、モードＭａ、Ｍｂ、．．．、Ｍｎのそれぞれの下位モードごとに、それぞれの下位モード識別子５２５と、その下位モードによって提供される光学的強度を表すそれぞれの値ＯＳＶ５３０とを含むことができる。構成情報５１０の下位モード遷移状態情報５３５は、所与の下位モードについて、その所与の下位モードへの（またはそれに代えてその下位モードからの）遷移を発生させる１つまたは複数のイベントを示すことができる。いくつかの実施形態では、構成情報５１０はさらに、モードＭａ、Ｍｂ、．．．、Ｍｎについてのそれぞれのモード遷移状態情報５４０を含む。モード遷移状態情報５４０は、所与のモードについて、その所与のモードへの（またはそれに代えてそのモードからの）遷移を発生させる１つまたは複数のイベントを示すことができる。例えば、次のモード識別子５４５は、対応するモード遷移状態が満たされるのに応答してＥＭＤが遷移する先の動作モードを示すことができる。それぞれの下位モードを各々が含む２つのモードに関して、その２つのモードによって、異なる光学的強度値が各々、ＥＭＤの使用者による同じ所与の注視方向と様々に関連付けられることが可能である。例えば、個々のモードＭａ、Ｍｂの下位モードＭａ１、Ｍｂ１が各々、ＥＭＤの使用者による注視方向の同じ範囲に対応することができ、下位モードＭａ１、Ｍｂ１は、それぞれの光学的強度値Ｖａ１、Ｖｂ１によって表される異なるレベルの調節を提供する。
【００５９】
[0069]  図６Ａは、一実施形態による、調節可能な眼装着型デバイスを操作する方法６００の要素を示す。方法６００は、例えばＥＭＤ１００、３１２の１つによって行われることができる。一実施形態では、ＥＭＤは、ＥＭＤの管理モード中に、補助デバイスのユーザインターフェースを介した対話に基づいて、較正、訓練、および／またはその他の方法で構成される。
【００６０】
[0070]  方法６００は、６０５で、目視行為と、使用者の眼の中または上に配設されたＥＭＤを操作するコマンドとの対応関係を示す構成情報を記憶することを含むことができる。一実施形態では、ＥＭＤの制御ロジックは、例えば、調節のレベルを徐々に上げる（または下げる）コマンド、現在の調節のレベルから遷移する機能を無効に（または有効に）するコマンド、デフォルトの調節のレベルに遷移するコマンドなどを含む１つまたは複数の明示的なコマンドに応えるように動作することができる。そのような１つまたは複数のコマンドは、例えば、ＥＭＤの使用者、ＥＭＤの製造者、医師、技術者などの指定に応じて、構成情報によって定義されることが可能である。
【００６１】
[0071]  構成情報を記憶する間に、方法６００は、６１０で眼装着型デバイスの状態を検出することができる。６１０で検出される状態は、ＥＭＤの使用者による注視の方向および／またはまばたきを示す、容量センサ、光検出器、または他のセンサ機構の状態を含むことができる。６１０で検出された状態および構成情報に基づいて、方法６００は、６１５で目視行為のインスタンスを検出することができる。例えば、６１５の検出することは、状態情報の１つまたは複数のパラメータを、その目視行為の発生を示すための、構成情報の１つまたは複数の検査条件と比較することを含むことができる。そのような比較に基づいて、６１５の検出することは、ＥＭＤの使用者による注視方向、注視方向の変化、まばたきイベント、および／または他の行為を、そのコマンドの発行を意味するものとして識別することができる。
【００６２】
[0072]  ６１５でインスタンスを検出したことに応答して、方法６００は、６２０で、そのコマンドによって示されるＥＭＤの動作を行うことができる。一実施形態では、このコマンドは、６１５の検出の間に構成される動作モードＥＭＤから遷移するための検査条件に関係なく、６２０で応えられる。例えば、６２０で動作を行う結果、ＥＭＤが第１の動作モードから第２の動作モードに遷移する可能性があり、ここで、本来であれば第１の動作モードからの遷移を生じさせることになる検査条件（コマンドのための検査条件と区別される）は、第１の動作モードの構成の間には満たされない。
【００６３】
[0073]  図６Ｂは、一実施形態による眼装着型デバイスの構成情報を決定する方法６５０の要素を示す。方法６５０は、図５に示す構成情報の一部またはすべてなどの構成情報を更新するために（例えば、ＥＭＤまたは補助デバイスによって）行うことができる。
【００６４】
[0074]  方法６５０は、６５５で、使用者の眼の中または上に配設された眼装着型デバイスの動作モードのインスタンスを記述するログ情報にアクセスすることを含むことができる。例えば、ＥＭＤの制御ロジックは、リポジトリ（例えばメモリ１８５）と、時間の経過とともにＥＭＤによって実施された動作モード、そのような動作モードの継続時間、発生するモード遷移、所与の動作モード中に起こる目視行為などを指定するか、またはその他の形で示すログをそのリポジトリに維持する回路とを含むか、それらに結合することができる。
【００６５】
[0075]  １つの実施形態による例示的シナリオでは、ＥＭＤは、図７に示すようにログ情報７２０を維持することができ、これは、ある期間に実施されたモードの識別子７２２を含む。この点で制限されない実施形態もあるが、ログ情報７２０には２つのモード（Ｍ１、Ｍ２）のみが表されている。ログ情報７２０はさらに、それぞれのモードが実施された時間の長さを各々表す継続時間値７２４を含むことができ、例えば、モードＭ１が継続時間Ｄ１にわたり実施され、次いでモードＭ２が継続時間Ｄ２にわたり実施され、次いでＭ１が継続時間Ｄ３にわたり実施されるなどしている。
【００６６】
[0076]  そのようなログの情報に基づいて、方法６５０は、６６０で、動作モードのインスタンスの特性によって検査条件が満たされるかどうかを評価することができる。例えば、ログ情報を、１つまたは複数の検査条件と比較するか、１つまたは複数の検査条件に基づいてその他の方法で処理して、その１つまたは複数の検査条件が満たされたかどうかを判定することができる。そのような１つまたは複数の検査条件の一例が、図７の例示的な検査情報７３０で表され、これは、１つまたは複数の閾値の種類７３２各々について、それぞれの閾値７３４を識別する。この点で限定されない実施形態もあるが、検査情報７３０は、所与の時間の継続時間の間に起こってよいモード遷移の最大回数ＴＰＭｍａｘ（例えば１分当たりの遷移）を含むことができる。それに代えて、またはそれに加えて、検査情報７３０は、所与の動作モードの最小継続時間ＤＲｍｉｎを含んでもよい。いくつかの実施形態では、検査情報７３０は、第１のモードの２回のインスタンスの合計継続時間と、異なるモードのインスタンス（例えば第１のモードの当該２回のインスタンスの間）の継続時間との最大比ＲＬＳｍａｘを含む。検査情報７３０について示される閾値Ｔｈ１、Ｔｈ２、Ｔｈ３は、例えば製造者や他の機関から事前情報として提供される可能性がある。
【００６７】
[0077]  図７のタイミング図７００に示されるように、６６０の評価することは、期間ｔ１内のモードＭ１、Ｍ２間の遷移の回数７０２がＴｈ１を超えることを検出することを含むことができる。それに代えて、またはそれに加えて、６６０の評価することは、Ｔｈ２未満である、モードＭ１のインスタンスの継続時間７０４を識別することを含んでもよい。
【００６８】
[0078]  図７のタイミング図７１０を参照して説明するように、６６０の評価することは、それぞれのインスタンスＭ２の継続時間ｔ３、ｔ５と、モードＭ１のインスタンスの継続時間ｔ４とを識別し、合計（ｔ３＋ｔ５）とｔ４との比がＴｈ３よりも大きいと判定することを含むことができる。
【００６９】
[0079]  検査条件が満たされると識別する６６０での評価に応答して、方法６５０は、６６５で、眼装着型デバイスの動作モードの定義を含む構成情報にアクセスすることができ、このアクセスすることは、定義のうち１つの定義のパラメータを自動的に更新することを含む。例えば、６６５のアクセスすることは、構成情報５００、５１０などの遷移状態情報を更新することを含むことができる。例えば、ある動作モードが変わるべきかどうかを決定するための検査条件は、使用者が特定の方向（例えば、注視野の方向）を注視する最小の時間の長さを指定することができる。そのような実施形態では、６６５のアクセスで１つまたは複数のパラメータ値を変更して、最小の時間の長さおよび／または注視野の方向を変更することができる）。変更された１つまたは複数のパラメータ値は、ＥＭＤのそれまでの働きに応じて、特定のモード遷移を起こりやすくするか、または起こりにくくすることができる。
【００７０】
[0080]  いくつかの実施形態では、図７に表されるようなログ情報および／または方法６５０でアクセスされるようなログ情報が、ＥＭＤから補助デバイスにダウンロードされることが可能である。そのようなダウンロードは、例えばＥＭＤの使用者が明示的にそのようなダウンロードを指令する、および／またはそのようなダウンロードに気が付くことなく、自動的に起こってよい。例えば、ダウンロードは、ＥＭＤと補助デバイスとの間のワイヤレスの存在検出交換に応答して、自動的に発生することができる。それに加えて、またはそれに代えて、例えば方法６５０における構成情報の自動的な更新に関係なく、および／または補助デバイスのユーザインターフェースとの操作者による対話に関係なく、ログ情報のそのようなダウンロードが起こってもよい。ダウンロードされたログ情報は、これらに限定されないが、ＥＭＤの使用者、医師または技術者、ＥＭＤの製造者などを含む、様々な１人または複数の消費者のいずれもが、ユーザインターフェースおよび／またはネットワークを介して補助デバイスから利用できるようにすることができる。
【図１】
2018175906.tif 000003
【図２Ａ】
2018175906.tif 000004
【図２Ｂ】
2018175906.tif 000005
【図３】
2018175906.tif 000006
【図４Ａ】
2018175906.tif 000007
【図４Ｂ】
2018175906.tif 000008
【図５】
2018175906.tif 000009
【図６Ａ】
2018175906.tif 000010
【図６Ｂ】
2018175906.tif 000011
【図７】
2018175906.tif 000012
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
眼装着型デバイスであって、
封入材料と、
前記封入材料の中に配設された調節アクチュエータと、
集積回路を含む通信ロジックであって、前記集積回路は補助デバイスから、第１の時間における使用者による第１の目視行為を示す第１の信号、および第２の時間における前記使用者による第２の目視行為を示す第２の信号を受信するように構成される、通信ロジックと、
前記第１の時間に前記眼装着型デバイスの第１の状態を検出し、前記第２の時間に前記眼装着型デバイスの第２の状態を検出するように構成された集積回路を含む制御ロジックであって、前記第１の信号に基づいて、前記制御ロジックが、前記第１の状態と、前記第１の目視行為の特性との対応関係を示す第１の構成情報を生成し、前記眼装着型デバイスの第１の動作モードは前記第１の構成情報に基づき、前記第２の信号に基づいて、前記制御ロジックが、前記第２の状態と、前記第２の目視行為の特性との対応関係を示す第２の構成情報を生成し、前記眼装着型デバイスの第２の動作モードは前記第２の構成情報に基づく、制御ロジックと
を備える眼装着型デバイス。
【請求項２】
前記制御ロジックがさらに、
前記眼装着型デバイスの動作モードのインスタンスを記述するログ情報にアクセスし、
前記ログ情報に基づいて、前記動作モードの前記インスタンスの特性によって検査条件が満たされるかどうかを評価し、
前記検査条件が満たされると識別したことに応答して、前記眼装着型デバイスの動作モードの定義を含む構成情報にアクセスし、前記アクセスすることは、前記定義のうち１つの定義のパラメータを自動的に更新することを含む
請求項１に記載の眼装着型デバイス。
【請求項３】
前記制御ロジックがさらに、
目視行為と、使用者の眼の中または上に配設された眼装着型デバイスを操作するコマンドとの対応関係を示す構成情報を記憶し、
前記構成情報が記憶される間に、前記眼装着型デバイスの状態を検出し、
前記検出された状態と前記構成情報とに基づいて、前記目視行為のインスタンスを検出し、
前記目視行為の前記インスタンスを検出したことに応答して、前記コマンドに対応する動作を行う
請求項１に記載の眼装着型デバイス。
【請求項４】
前記制御ロジックが前記動作を行うことは、前記制御ロジックが、デフォルトの調節レベルを提供する動作モードに遷移することを含む請求項３に記載の眼装着型デバイス。
【請求項５】
前記制御ロジックが前記動作を行うことは、前記制御ロジックが、調節レベルを変える機能を無効にすることを含む請求項３に記載の眼装着型デバイス。
【請求項６】
前記制御ロジックがさらに、
前記眼装着型デバイスの動作モードのインスタンスを記述するログ情報を維持し、
前記ログ情報を前記眼装着型デバイスから外部のデバイスにダウンロードする
請求項１に記載の眼装着型デバイス。
【請求項７】
前記第１の信号が、前記補助デバイスのユーザインターフェースを介して前記補助デバイスによって受け取られる第１の入力に基づき、前記第２の信号が、前記ユーザインターフェースを介して前記補助デバイスによって受け取られる第２の入力に基づく、請求項１に記載の眼装着型デバイス。
【請求項８】
眼装着型デバイスによって実施される方法であって、
第１の時間に前記眼装着型デバイスの第１の状態を検出することと、
前記第１の時間における使用者による第１の目視行為を示す第１の信号を補助デバイスから受信することであって、前記第１の信号は、前記補助デバイスのユーザインターフェースを介して前記補助デバイスによって受け取られる第１の入力に基づく、前記第１信号を受信することと、
前記第１の信号に基づいて、前記第１の状態と、前記第１の目視行為の特性との対応関係を示す第１の構成情報を生成することであって、前記眼装着型デバイスの第１の動作モードは前記第１の構成情報に基づく、前記第１の構成情報を生成することと、
第２の時間に前記眼装着型デバイスの第２の状態を検出することと、
前記第２の時間における前記使用者による第２の目視行為を示す第２の信号を前記補助デバイスから受信することであって、前記第２の信号は、前記ユーザインターフェースを介して前記補助デバイスによって受け取られる第２の入力に基づく、前記第２の信号を受信することと、
前記第２の信号に基づいて、前記第２の状態と、前記第２の目視行為の特性との対応関係を示す第２の構成情報を生成することであって、前記眼装着型デバイスの第２の動作モードは前記第２の構成情報に基づく、前記第２の構成情報を生成することと
を含む方法。
【請求項９】
前記眼装着型デバイスの動作モードのインスタンスを記述するログ情報にアクセスすることと、
前記ログ情報に基づいて、前記動作モードの前記インスタンスの特性によって検査条件が満たされるかどうかを評価することと、
前記検査条件が満たされると識別する前記評価に応答して、前記眼装着型デバイスの動作モードの定義を含む構成情報にアクセスすることであって、前記アクセスすることは、前記定義のうち１つの定義のパラメータを自動的に更新することを含む、アクセスすることと
をさらに含む請求項８に記載の方法。
【請求項１０】
目視行為と、使用者の眼の中または上に配設された眼装着型デバイスを操作するコマンドとの対応関係を示す構成情報を記憶することと、
前記構成情報を前記記憶する間に、前記眼装着型デバイスの状態を検出することと、
前記検出された状態と前記構成情報とに基づいて、前記目視行為のインスタンスを検出することと、
前記目視行為の前記インスタンスを検出したことに応答して、前記コマンドに対応する動作を行うことと
をさらに含む請求項８に記載の方法。
【請求項１１】
眼装着型デバイスのコントローラによって実行されると前記眼装着型デバイスに動作を行わせる命令が記憶された、非一時的なコンピュータ可読記憶媒体であって、前記動作は、
第１の時間に前記眼装着型デバイスの第１の状態を検出することと、
前記第１の時間における使用者による第１の目視行為を示す第１の信号を補助デバイスから受信することであって、前記第１の信号は、前記補助デバイスのユーザインターフェースを介して前記補助デバイスによって受け取られる第１の入力に基づく、前記第１の信号を受信することと、
前記第１の信号に基づいて、前記第１の状態と、前記第１の目視行為の特性との対応関係を示す第１の構成情報を生成することであって、前記眼装着型デバイスの第１の動作モードは前記第１の構成情報に基づく、前記第１の構成情報を生成することと、
第２の時間に前記眼装着型デバイスの第２の状態を検出することと、
前記第２の時間における前記使用者による第２の目視行為を示す第２の信号を前記補助デバイスから受信することであって、前記第２の信号は、前記ユーザインターフェースを介して前記補助デバイスによって受け取られる第２の入力に基づく、前記第２の信号を受信することと、
前記第２の信号に基づいて、前記第２の状態と、前記第２の目視行為の特性との対応関係を示す第２の構成情報を生成することであって、前記眼装着型デバイスの第２の動作モードは前記第２の構成情報に基づく、前記第２の構成情報を生成することと
を含む、コンピュータ可読記憶媒体。
【請求項１２】
前記動作が、
前記眼装着型デバイスの動作モードのインスタンスを記述するログ情報にアクセスすることと、
前記ログ情報に基づいて、前記動作モードの前記インスタンスの特性によって検査条件が満たされるかどうかを評価することと、
前記検査条件が満たされると識別する前記評価に応答して、前記眼装着型デバイスの動作モードの定義を含む構成情報にアクセスすることであって、前記アクセスすることは、前記定義のうち１つの定義のパラメータを自動的に更新することを含む、アクセスすることと
をさらに含む、請求項１１に記載のコンピュータ可読記憶媒体。
【請求項１３】
前記動作が、
目視行為と、使用者の眼の中または上に配設された眼装着型デバイスを操作するコマンドとの対応関係を示す構成情報を記憶することと、
前記構成情報を前記記憶する間に、前記眼装着型デバイスの状態を検出することと、
前記検出された状態と前記構成情報とに基づいて、前記目視行為のインスタンスを検出することと、
前記目視行為の前記インスタンスを検出したことに応答して、前記コマンドに対応する動作を行うことと
をさらに含む、請求項１１に記載のコンピュータ可読記憶媒体。
【外国語明細書】
2018175906000001.pdf